(57)【要約】【課題】気温の変化に合わせたより適切なタイヤの空気圧調整を可能にするとともに、よりユーザにとっての利便性を向上させることを可能にする。【解決手段】ユーザに携行される携帯機２に、車両Ｃのタイヤの空気圧情報と当該タイヤの温度の情報を取得するＢＴ通信部２４と、ＢＴ通信部２４で取得したタイヤの空気圧の情報と当該タイヤの温度の情報とを対応付けて表示する表示器２９と、ＢＴ通信部２４で取得したタイヤの空気圧の情報と当該タイヤの温度の情報とを対応付けて格納する記憶部２５と、を備える。【選択図】図２
2010191540.tif 000002
【特許請求の範囲】
【請求項１】
ユーザに携行される携帯機であって、
車両のタイヤの空気圧の情報を取得する空気圧情報取得手段と、
前記タイヤの温度の情報を取得するタイヤ温度情報取得手段と、
前記空気圧情報取得手段で取得した前記タイヤの空気圧の情報と前記タイヤ温度情報取得手段で取得した当該タイヤの温度の情報とを対応付けて表示する表示手段と、
前記空気圧情報取得手段で取得した前記タイヤの空気圧の情報と前記タイヤ温度情報取得手段で取得した当該タイヤの温度の情報とを対応付けて格納する格納手段と、を備えていることを特徴とする携帯機。
【請求項２】
ユーザからの操作入力を受け付ける操作入力手段をさらに備え、
前記操作入力手段でユーザから前記タイヤの空気圧の情報および当該タイヤの温度の情報の表示を要求する旨の操作入力を受け付けた場合に、前記空気圧情報取得手段で取得した前記タイヤの空気圧の情報および前記タイヤ温度情報取得手段で取得した当該タイヤの温度の情報のうち、お互い対応付けられて前記格納手段に格納されているタイヤの空気圧の情報および当該タイヤの温度の情報を、お互い対応付けて前記表示手段で表示することを特徴とする請求項１に記載の携帯機。
【請求項３】
前記格納手段は、最大で一日につき１組の、お互い対応付けられた前記タイヤの空気圧の情報および当該タイヤの温度の情報の組を、複数組格納することを特徴とする請求項１または２に記載の携帯機。
【請求項４】
複数組の、前記格納手段にお互い対応付けられて格納されている前記タイヤの空気圧の情報および当該タイヤの温度の情報の組をもとに、前記タイヤの空気圧および当該タイヤの温度の経日変化を示すグラフを作成するグラフ作成手段をさらに備え、
前記グラフ作成手段で作成した当該グラフを前記表示手段で表示することを特徴とする
請求項３に記載の携帯機。
【請求項５】
前記格納手段は、最大で過去１年分の、お互い対応付けられた前記タイヤの空気圧の情報および当該タイヤの温度の情報の組を格納することを特徴とする請求項３または４に記載の携帯機。
【請求項６】
前記格納手段は、前記空気圧情報取得手段で取得した前記タイヤの空気圧の情報および前記タイヤ温度情報取得手段で取得した当該タイヤの温度の情報の組のうち、一日の中で最初に取得した１組のみを、前記一日につき１組の、お互い対応付けられた前記タイヤの空気圧の情報および当該タイヤの温度の情報の組として格納することを特徴とする請求項３〜５のいずれか１項に記載の携帯機。
【請求項７】
ユーザに携行される携帯機であって、
車両のタイヤの空気圧の情報を取得する空気圧情報取得手段と、
前記空気圧情報取得手段で取得したタイヤの空気圧の情報を少なくとも過去１年分格納する格納手段と、
前記格納手段に格納されている前記タイヤの空気圧の情報をもとに、前記タイヤの空気圧の経日変化を示すグラフを作成するグラフ作成手段と、
前記グラフ作成手段で作成した当該グラフを表示する表示手段と、を備えていることを特徴とする携帯機。
【請求項８】
車両に搭載されて前記車両のタイヤの空気圧を検出する空気圧検出装置と、
車両に搭載されて前記車両のタイヤの温度と検出するタイヤ温度検出装置と、
請求項１〜６のいずれか１項に記載の携帯機と、
車両に搭載されて前記空気圧検出装置で検出された車両のタイヤの空気圧の情報および前記タイヤ温度検出装置で検出された前記タイヤの温度の情報を前記携帯機に無線通信で送信する通信装置と、を含み、
前記携帯機の前記空気圧情報取得手段は、前記通信装置から送信される前記車両のタイヤの空気圧の情報を取得し、
前記携帯機の前記タイヤ温度情報取得手段は、前記通信装置から送信される前記タイヤの温度の情報を取得することを特徴とする車両システム。
【請求項９】
車両に搭載されて前記車両のタイヤの空気圧を検出する空気圧検出装置と、
請求項７に記載の携帯機と、
車両に搭載されて前記空気圧検出装置で検出された車両のタイヤの空気圧の情報を前記携帯機に無線通信で送信する通信装置と、を含み、
前記携帯機の前記空気圧情報取得手段は、前記通信装置から送信される前記車両のタイヤの空気圧の情報を取得することを特徴とする車両システム。
【請求項１０】
前記携帯機は、前記車両の電子キーとしての機能もさらに備えていることを特徴とする請求項８または９に記載の車両システム。
【発明の詳細な説明】
【技術分野】
【０００１】
本発明は、車両のタイヤの空気圧の提示を行う携帯機およびこの携帯機を含む車両システムに関するものである。
【背景技術】
【０００２】
従来から、車両のタイヤの空気圧をモニタリングする技術が知られている。例えば、特許文献１には、各タイヤに装着される測定ユニットによって各タイヤの空気圧を測定し、測定された各タイヤの空気圧の短期間での推移を示すグラフをカーナビゲーション装置のディスプレイに表示するタイヤ空気圧監視装置が開示されている。
【先行技術文献】
【特許文献】
【０００３】
【特許文献１】特開２００５−２５４９３２号公報
【特許文献２】特開２００８−１６３６３３号公報
【特許文献３】特開２００８−２１３５１４号公報
【発明の概要】
【発明が解決しようとする課題】
【０００４】
しかしながら、特許文献１に開示のタイヤ空気圧監視装置では、タイヤの空気圧のデータをカーナビゲーション装置のディスプレイで表示させるので、車両のイグニッションスイッチがオンされていない場合といった車両からカーナビゲーション装置に電源が供給されていない状態では空気圧のデータを表示させることができない。よって、特許文献１に開示のタイヤ空気圧監視装置では、タイヤの空気圧のデータを表示させるためにその都度車両のイグニッションスイッチをオンさせるなどしなければならない手間がかかるという問題点を有していた。
【０００５】
また、季節（気温）の変化によるタイヤ温度の変化に伴ってタイヤの空気圧も大きく変動するが、タイヤの空気圧は車両の燃費に影響を与えるため、気温の変化に合わせてタイヤの空気圧を適切な値に調整してやることが好ましい。しかしながら、特許文献１に開示のタイヤ空気圧監視装置では、タイヤの空気圧の短期間での推移を示すグラフを表示させるだけなので、このグラフをユーザが見ても、気温の変化に合わせた適切なタイヤの空気圧調整を行うことは困難であった。
【０００６】
本発明は、上記従来の問題点に鑑みなされたものであって、その目的は、気温の変化に合わせたより適切なタイヤの空気圧調整を可能にするとともに、よりユーザにとっての利便性を向上させることを可能にする携帯機および車両システムを提供することにある。
【課題を解決するための手段】
【０００７】
請求項１の携帯機は、上記課題を解決するために、ユーザに携行される携帯機であって、車両のタイヤの空気圧の情報を取得する空気圧情報取得手段と、前記タイヤの温度の情報を取得するタイヤ温度情報取得手段と、前記空気圧情報取得手段で取得した前記タイヤの空気圧の情報と前記タイヤ温度情報取得手段で取得した当該タイヤの温度の情報とを対応付けて表示する表示手段と、前記空気圧情報取得手段で取得した前記タイヤの空気圧の情報と前記タイヤ温度情報取得手段で取得した当該タイヤの温度の情報とを対応付けて格納する格納手段と、を備えていることを特徴としている。
【０００８】
これによれば、タイヤの空気圧の情報と当該タイヤの温度の情報とを対応付けて表示するので、タイヤの温度の情報をもとにタイヤの空気圧の調整の方向性をユーザが検討することが可能になる。よって、気温の変化に合わせた適切なタイヤの空気圧調整をユーザがより行い易くなる。
【０００９】
また、ユーザが携行する携帯機においてタイヤの空気圧の情報と当該タイヤの温度の情報とを対応付けて表示するので、車載ナビゲーション装置等の車載機器で表示を行わせる場合に比べ、タイヤの空気圧の情報および当該タイヤの温度の情報の表示を行わせるのに車両のイグニッションスイッチをオンにするなどの手間をかけなくてもよく、ユーザにとっての利便性がより向上する。
【００１０】
さらに、ユーザが携行する携帯機においてタイヤの空気圧の情報および当該タイヤの温度の情報を対応付けて格納するので、降車後にユーザが過去のタイヤの空気圧の情報および当該タイヤの温度の情報を確認したくなった場合に、車両から離れた位置であっても格納されたタイヤの空気圧の情報および当該タイヤの温度の情報を用いて過去のタイヤの空気圧の情報および当該タイヤの温度の情報の表示を行わせることが可能になり、ユーザにとっての利便性がより向上する。
【００１１】
従って、以上の構成によれば、気温の変化に合わせたより適切なタイヤの空気圧調整を可能にするとともに、よりユーザにとっての利便性を向上させることが可能になる。
【００１２】
また、請求項２の携帯機では、ユーザからの操作入力を受け付ける操作入力手段をさらに備え、前記操作入力手段でユーザから前記タイヤの空気圧の情報および当該タイヤの温度の情報の表示を要求する旨の操作入力を受け付けた場合に、前記空気圧情報取得手段で取得した前記タイヤの空気圧の情報および前記タイヤ温度情報取得手段で取得した当該タイヤの温度の情報のうち、お互い対応付けられて前記格納手段に格納されているタイヤの空気圧の情報および当該タイヤの温度の情報を、お互い対応付けて前記表示手段で表示することを特徴としている。
【００１３】
これによれば、タイヤの空気圧の情報および当該タイヤの温度の情報の表示を要求する旨のユーザからの操作入力に応じて、ユーザがタイヤの空気圧の情報および当該タイヤの温度の情報を確認したいタイミングでタイヤの空気圧の情報および当該タイヤの温度の情報を対応付けて表示することが可能になるので、ユーザにとっての利便性がさらに向上する。
【００１４】
また、請求項３の携帯機では、前記格納手段は、最大で一日につき１組の、お互い対応付けられた前記タイヤの空気圧の情報および当該タイヤの温度の情報の組を、複数組格納することを特徴としている。
【００１５】
これによれば、最大で一日につき１組ずつ格納手段に格納されている、複数組のお互い対応付けられたタイヤの空気圧の情報および当該タイヤの温度の情報をもとに、タイヤの空気圧および当該タイヤの温度の経日変化を表示することが可能になる。気温の変化とタイヤの温度の変化とは密接に関連しているので、ユーザがタイヤの空気圧および当該タイヤの温度の経日変化の傾向を知ることにより、気温の変化に伴うタイヤの空気圧の今後の変化の傾向を推定することも可能になる。よって、以上の構成によれば、気温の変化に伴うタイヤの空気圧の今後の変化の傾向を推定することにより、ユーザが気温の変化に合わせたより適切なタイヤの空気圧調整を行うことも可能になる。
【００１６】
また、請求項４の携帯機では、複数組の、前記格納手段にお互い対応付けられて格納されている前記タイヤの空気圧の情報および当該タイヤの温度の情報の組をもとに、前記タイヤの空気圧および当該タイヤの温度の経日変化を示すグラフを作成するグラフ作成手段をさらに備え、前記グラフ作成手段で作成した当該グラフを前記表示手段で表示することを特徴としている。
【００１７】
これによれば、最大で一日につき１組の、お互い対応付けられたタイヤの空気圧の情報および当該タイヤの温度の情報をもとに作成されたタイヤの空気圧および当該タイヤの温度の経日変化を示すグラフを表示することができるので、ユーザがタイヤの空気圧および当該タイヤの温度の経日変化の傾向を知ることにより、気温の変化に伴うタイヤの空気圧の今後の変化の傾向を推定することも可能になる。よって、以上の構成によれば、気温の変化に伴うタイヤの空気圧の今後の変化の傾向を推定することにより、ユーザが気温の変化に合わせたより適切なタイヤの空気圧調整を行うことも可能になる。
【００１８】
また、請求項５の携帯機では、前記格納手段は、最大で過去１年分の、お互い対応付けられた前記タイヤの空気圧の情報および当該タイヤの温度の情報の組を格納することを特徴としている。
【００１９】
これによれば、最大で過去１年分の、お互い対応付けられたタイヤの空気圧の情報および当該タイヤの温度の情報やタイヤの空気圧および当該タイヤの温度の経日変化を示すグラフを表示することが可能になるので、例えば前年の同時期や同じ季節等のタイヤの空気圧および当該タイヤの温度の変化の傾向をもとに、気温の変化に伴うタイヤの空気圧の今後の変化の傾向をより精度良くユーザが推定することが可能になる。
【００２０】
また、請求項６の携帯機では、前記格納手段は、前記空気圧情報取得手段で取得した前記タイヤの空気圧の情報および前記タイヤ温度情報取得手段で取得した当該タイヤの温度の情報の組のうち、一日の中で最初に取得した１組のみを、前記一日につき１組の、お互い対応付けられた前記タイヤの空気圧の情報および当該タイヤの温度の情報の組として格納することを特徴としている。
【００２１】
この請求項６のように、空気圧情報取得手段で取得したタイヤの空気圧の情報およびタイヤ温度情報取得手段で取得した当該タイヤの温度の情報の組のうち、一日の中で最初に取得した１組のみを、一日につき１組の、お互い対応付けられたタイヤの空気圧の情報および当該タイヤの温度の情報の組として格納手段に格納する態様としてもよい。
【００２２】
タイヤの空気圧の純正基準値は、車両の走行による摩擦熱等によってタイヤの温度が上がっていない冷間時で規定されている。また、一般的な車両の使われ方からすれば、上述のように、一日の中で最初に取得するタイヤの空気圧の情報および当該タイヤの温度の情報を取得すれば、よりタイヤが発熱していない状態でタイヤの空気圧の情報および当該タイヤの温度の情報を取得できる可能性が高い。
【００２３】
よって、この請求項６の構成によれば、この冷間時のタイヤの空気圧の情報および当該タイヤの温度の情報を取得し、この冷間時のタイヤの空気圧の情報および当該タイヤの温度の情報をもとにタイヤの空気圧の調整の方向性をユーザが検討することができる可能性が高くなる。従って、以上の構成によれば、ユーザが気温の変化に合わせたタイヤの空気圧調整をタイヤの空気圧の純正基準値を基準にして行う場合に、より適切なタイヤの空気圧調整をより精度良く行うことが可能になる。
【００２４】
また、請求項７の携帯機は、上記課題を解決するために、ユーザに携行される携帯機であって、車両のタイヤの空気圧の情報を取得する空気圧情報取得手段と、前記空気圧情報取得手段で取得したタイヤの空気圧の情報を少なくとも過去１年分格納する格納手段と、前記格納手段に格納されている前記タイヤの空気圧の情報をもとに、前記タイヤの空気圧の経日変化を示すグラフを作成するグラフ作成手段と、前記グラフ作成手段で作成した当該グラフを表示する表示手段と、を備えていることを特徴としている。
【００２５】
これによれば、少なくとも過去１年分のタイヤの空気圧の経日変化を示すグラフを表示することが可能になるので、例えば気温の変化の傾向が似ている可能性の高い前年の同時期や同じ季節等のタイヤの空気圧の変化の傾向をもとに、気温の変化に伴うタイヤの空気圧の今後の変化の傾向をユーザが推定することが可能になる。従って、気温の変化に合わせた適切なタイヤの空気圧調整をユーザがより行い易くなる。
【００２６】
さらに、ユーザが携行する携帯機においてタイヤの空気圧の情報を取得して格納し、格納したタイヤの空気圧の情報を表示するので、車載ナビゲーション装置等の車載機器で表示を行わせる場合に比べ、タイヤの空気圧の情報の表示を行わせるのに車両のイグニッションスイッチをオンにするなどの手間をかけなくても済む。また、降車後にユーザが過去のタイヤの空気圧の情報を確認したくなった場合に、車両から離れた位置であっても格納されたタイヤの空気圧の情報を用いて過去のタイヤの空気圧の情報の表示を行わせることが可能になる。従って、ユーザにとっての利便性がより向上する。
【００２７】
請求項８の車両システムは、上記課題を解決するために、車両に搭載されて前記車両のタイヤの空気圧を検出する空気圧検出装置と、車両に搭載されて前記車両のタイヤの温度と検出するタイヤ温度検出装置と、前記のいずれかの携帯機と、車両に搭載されて前記空気圧検出装置で検出された車両のタイヤの空気圧の情報および前記タイヤ温度検出装置で検出された前記タイヤの温度の情報を前記携帯機に無線通信で送信する通信装置と、を含み、前記携帯機の前記空気圧情報取得手段は、前記通信装置から送信される前記車両のタイヤの空気圧の情報を取得し、前記携帯機の前記タイヤ温度情報取得手段は、前記通信装置から送信される前記タイヤの温度の情報を取得することを特徴としている。
【００２８】
また、請求項９の車両システムは、上記課題を解決するために、車両に搭載されて前記車両のタイヤの空気圧を検出する空気圧検出装置と、前記の携帯機と、車両に搭載されて前記空気圧検出装置で検出された車両のタイヤの空気圧の情報を前記携帯機に無線通信で送信する通信装置と、を含み、前記携帯機の前記空気圧情報取得手段は、前記通信装置から送信される前記車両のタイヤの空気圧の情報を取得することを特徴としている。
【００２９】
この請求項８および請求項９の構成によれば、気温の変化に合わせたより適切なタイヤの空気圧調整を可能にするとともに、よりユーザにとっての利便性を向上させることが可能になる。
【００３０】
また、請求項１０の車両システムでは、前記携帯機は、前記車両の電子キーとしての機能もさらに備えていることを特徴としている。
【００３１】
これによれば、携帯機が車両の電子キーとしての機能も備えているので、この携帯機と車両の電子キーとを別々にユーザが携行する必要がなくなり、利便性が向上する。
【図面の簡単な説明】
【００３２】
【図１】車載装置１の概略的な構成を示すブロック図である。
【図２】携帯機２の概略的な構成を示すブロック図である。
【図３】携帯機２の表示器２９に表示される表の一例を示す図である。
【図４】携帯機２の表示器２９に表示されるグラフの一例を示す図である。
【図５】携帯機２における判別登録処理のフローを示すフローチャートである。
【発明を実施するための形態】
【００３３】
以下、本発明の実施形態について図１〜図５を用いて説明する。本発明に係る車両システムは、車両Ｃに搭載される車載装置１およびユーザに携行される携帯機２を含んで構成されており、携帯機２が車両Ｃ周囲の無線通信エリア内に入ったときに車両ドアのアンロック等の制御を実行するいわゆるスマートエントリー機能、および携帯機２が有するプッシュスイッチ２６・２７の操作に応じて車両ドアのロックやアンロック等の制御を実行するいわゆるリモートキーレスエントリー機能を有する。
【００３４】
まず、図１を用いて、車載装置１の概略的な構成について説明を行う。図１は、車載装置１の概略的な構成を示すブロック図である。図１に示すように車載装置１は、制御部１１、ＬＦ送信部１２、ＵＨＦ受信部１３、センサユニット１４ａ〜１４ｄ、右前輪アンテナ（以下、右前輪ＡＮＴ）１５ａ、左前輪アンテナ（以下、左前輪ＡＮＴ）１５ｂ、右後輪アンテナ（以下、右後輪ＡＮＴ）１５ｃ、左後輪アンテナ（以下、左後輪ＡＮＴ）１５ｄ、コンビネーションメータ１６、およびＢｌｕｅｔｏｏｔｈ（登録商標）通信部１７を備えている。
【００３５】
制御部１１は、ＣＰＵ、ＲＯＭ、ＲＡＭ、バックアップＲＡＭ、Ｉ／Ｏ等（いずれも図示せず）よりなるマイクロコンピュータを主体として構成され、ＲＯＭに記憶された各種の制御プログラムを実行することで各種の処理を実行するものである。例えば、制御部１１は、前述のスマートエントリー機能やリモートキーレスエントリー機能に関する処理を実行する。また、制御部１１は、後述するモニタリング処理や収集転送処理も実行する。なお、モニタリング処理および収集転送処理の詳細については後述する。
【００３６】
ＬＦ送信部１２は、ＬＦアンテナを有しており、このＬＦアンテナを介して携帯機２にＬＦ帯（例えば３０ｋＨｚ〜３００ｋＨｚ）の電波にて信号（情報）を送信する。ＬＦ送信部１２から送信される信号は、例えば車両Ｃの４箇所に配置されるドアアンテナ、室内アンテナ、およびバックドア外アンテナ（いずれも図示せず）を介して、それぞれ限られた通信エリア内に対してのみ到達する。また、ＬＦ送信部１２は、制御部１１から通信線を介して送られてくる後述の送信要求信号を右前輪ＡＮＴ１５ａ、左前輪ＡＮＴ１５ｂ、右後輪ＡＮＴ１５ｃ、および左後輪ＡＮＴ１５ｄに送り、右前輪ＡＮＴ１５ａ、左前輪ＡＮＴ１５ｂ、右後輪ＡＮＴ１５ｃ、および左後輪ＡＮＴ１５ｄから送信要求信号を、ＬＦ帯の電波にてセンサユニット１４ａ〜１４ｄのそれぞれに出力させる。
【００３７】
なお、本実施形態では、ＬＦ送信部１２が、制御部１１から通信線を介して送られてくる送信要求信号を右前輪ＡＮＴ１５ａ、左前輪ＡＮＴ１５ｂ、右後輪ＡＮＴ１５ｃ、および左後輪ＡＮＴ１５ｄからセンサユニット１４ａ〜１４ｄに出力させる機能も担う構成を示したが、必ずしもこれに限らない。例えば、ＬＦ送信部１２とは別体の部材に、制御部１１から通信線を介して送られてくる送信要求信号を右前輪ＡＮＴ１５ａ、左前輪ＡＮＴ１５ｂ、右後輪ＡＮＴ１５ｃ、および左後輪ＡＮＴ１５ｄからセンサユニット１４ａ〜１４ｄに出力させる機能を担わせる構成としてもよい。
【００３８】
ＵＨＦ受信部１３は、ＵＨＦアンテナを有しており、ＵＨＦ帯（例えば３００ＭＨｚ〜３ＧＨｚ）の電波にて携帯機２から送信されてくる信号（情報）をＵＨＦアンテナで受信する。また、ＵＨＦ受信部１３は、制御部１１に接続されており、ＵＨＦアンテナで受信した情報を制御部１１に出力する。また、ＵＨＦ受信部１３は、上述の送信要求信号に応答してＵＨＦ帯の電波にてセンサユニット１４ａ〜１４ｄから送信されてくる後述の送信信号を受信し、制御部１１に出力する。
【００３９】
センサユニット１４ａ〜１４ｄは、センサユニット１４ａが右前輪、センサユニット１４ｂが左前輪、センサユニット１４ｃが右後輪、センサユニット１４ｄが左後輪といったように車両Ｃの各タイヤに設けられる。例えば、センサユニット１４ａ〜１４ｄは、タイヤバルブと一体的に構成され、タイヤのディスクホイールに取り付けられる。なお、センサユニット１４ａ〜１４ｄのそれぞれは、タイヤの空気圧（以下、タイヤ空気圧）を測定して検出する空気圧センサと、タイヤの温度（以下、タイヤ温度）を測定して検出する温度センサと、無線通信で情報を送受信（例えばＬＦ帯の電波にて送信されてくる信号を受信し、ＵＨＦ帯の電波にて信号を送信）する無線通信部と、検出したタイヤ空気圧の情報、検出したタイヤ温度の情報、および各タイヤに固有のＩＤコードを含む送信信号を無線通信部にて送信させるマイコンと（いずれも図示せず）からなるものとする。よって、センサユニット１４ａ〜１４ｄは、請求項の空気圧検出装置およびタイヤ温度検出装置として機能する。なお、センサユニット１４ａ〜１４ｄは、右前輪ＡＮＴ１５ａ、左前輪ＡＮＴ１５ｂ、右後輪ＡＮＴ１５ｃ、および左後輪ＡＮＴ１５ｄからＬＦ帯の電波にて送信されてくる送信要求信号を無線通信部で受けるたびに、上述の空気圧センサおよび温度センサでタイヤ空気圧およびタイヤ温度を検出して送信信号を送信するものとする。
【００４０】
また、制御部１１は、センサユニット１４ａ〜１４ｄから送信されてきた送信信号をＵＨＦ受信部１３を介して受け取り、その送信信号に含まれるタイヤ空気圧の情報に基づいて各タイヤの空気圧の状態を監視するモニタリング処理を行う。なお、制御部１１は、このモニタリング処理を行って各タイヤの空気圧の状態を判定するために、ＬＦ送信部１２を介して右前輪ＡＮＴ１５ａ、左前輪ＡＮＴ１５ｂ、右後輪ＡＮＴ１５ｃ、左後輪ＡＮＴ１５ｄからセンサユニット１４ａ〜１４ｄのそれぞれに対して信号の送信を要求する送信要求信号を送信させる。
【００４１】
制御部１１は、上述のようにしてセンサユニット１４ａ〜１４ｄのそれぞれに対して送信要求信号を送信し、センサユニット１４ａ〜１４ｄのそれぞれから返信される信号（つまり、前述の送信信号）に含まれるタイヤ空気圧の情報に基づいて各タイヤの空気圧の状態を判定する。なお、制御部１１のＲＯＭ等のメモリには、各タイヤの空気圧の状態が異常であるか否かを判定するための規定圧の情報が記憶されており、制御部１１は、センサユニット１４ａ〜１４ｄのそれぞれから返信される信号に含まれるタイヤ空気圧の情報が示すタイヤ空気圧とこの規定圧とを比較することによって各タイヤの空気圧の状態を判定するものとする。制御部１１は、例えば車両Ｃのイグニッションスイッチがオンになっている間、数秒から数分間隔でセンサユニット１４ａ〜１４ｄのそれぞれに対して送信要求信号を送信する。
【００４２】
右前輪ＡＮＴ１５ａ、左前輪ＡＮＴ１５ｂ、右後輪ＡＮＴ１５ｃ、および左後輪ＡＮＴ１５ｄは、例えば車両Ｃの各ホイールハウスに設けられ、通信線を介して制御部１１に接続される。詳しくは、右前輪ＡＮＴ１５ａが右前輪のホイールハウス、左前輪ＡＮＴ１５ｂが左前輪のホイールハウス、右後輪ＡＮＴ１５ｃが右後輪のホイールハウス、そして左後輪ＡＮＴ１５ｄが左後輪のホイールハウスに設けられる。また、右前輪ＡＮＴ１５ａ、左前輪ＡＮＴ１５ｂ、右後輪ＡＮＴ１５ｃ、および左後輪ＡＮＴ１５ｄは、センサユニット１４ａ〜１４ｄの無線通信部にそれぞれ送信要求信号を送信する。詳しくは、右前輪ＡＮＴ１５ａはセンサユニット１４ａの無線通信部に送信要求信号の送信を行い、左前輪ＡＮＴ１５ｂはセンサユニット１４ｂの無線通信部に送信要求信号の送信を行い、右後輪ＡＮＴ１５ｃはセンサユニット１４ｃの無線通信部に送信要求信号の送信を行い、そして左後輪ＡＮＴ１５ｄはセンサユニット１４ｄの無線通信部に送信要求信号の送信を行う。
【００４３】
制御部１１から出力された送信要求信号は、ＬＦ送信部１２によって変調等の処理が行われ、それぞれ右前輪ＡＮＴ１５ａ、左前輪ＡＮＴ１５ｂ、右後輪ＡＮＴ１５ｃ、左後輪ＡＮＴ１５ｄからセンサユニット１４ａ〜１４ｄの無線通信部に対して送信される。また、センサユニット１４ａ〜１４ｄの無線通信部から送信されてＵＨＦ受信部１３によって受信された信号は、信号の増幅、復調等の処理が行なわれ、その後、制御部１１に送られる。
【００４４】
コンビネーションメータ１６は、車両Ｃのドライバー席の前方のインストルメントパネルに設けられた、スピードメータ、タコメータ、水温計、燃料計などがパッケージングされているメータである。また、コンビネーションメータ１６は、例えば、制御部１１から出力される各タイヤの空気圧の状態の判定結果を液晶パネル（図示せず）上に表示する。また、コンビネーションメータ１６は、例えばＬＥＤ等からなるウォーニングランプを有
し、制御部１１によってタイヤ空気圧が規定圧以下に低下している等、タイヤ空気圧が
異常と判定する判定結果が出力されてきた場合には、ウォーニングランプを点灯させ、ドライバーにタイヤの空気圧が異常である旨を報知する。
【００４５】
Ｂｌｕｅｔｏｏｔｈ（以下、ＢＴ）通信部１７は、ＢＴアンテナを有しており、このＢＴアンテナを介して携帯機２に対し２．４ＧＨｚ帯の電波にて信号（情報）を送信するとともに、２．４ＧＨｚ帯の電波にて携帯機２から送信されてくる信号を、ＢＴアンテナを介して受信する。このＢＴ通信部１７から送信される信号は、ＬＦ送信部１２から送信される信号よりも通信エリアが広いものの、後述する携帯機２のＵＨＦ送信部２３から送信される信号ほど通信エリアは広くない。また、ＢＴ通信部１７は、制御部１１に接続されており、この制御部１１から出力された情報をＢＴアンテナから送信する一方、このＢＴアンテナにて受信した情報を制御部１１に出力する。
【００４６】
なお、本実施形態では、車載装置１が、ＢＴ通信部１７を単体にて有する構成を示したが、必ずしもこれに限らない。例えば、ＢＴ通信部を有する周知の車載ナビゲーション装置を車両Ｃに搭載し、この車載ナビゲーション装置のＢＴ通信部をＢＴ通信部１７として用いる構成としてもよい。
【００４７】
さらに、制御部１１は、車両Ｃの各タイヤのタイヤ空気圧の情報および各タイヤのタイヤ温度の情報を収集してＢＴ通信部１７から携帯機２に送信する収集転送処理も実行する。収集転送処理では、センサユニット１４ａ〜１４ｄからの送信信号を、ＵＨＦ受信部１３を介して受信し、その送信信号に含まれるタイヤ空気圧の情報、タイヤ温度の情報、およびＩＤコードをこれらのタイヤ空気圧およびタイヤ温度を測定した日時（以下、測定日時）の情報とともにＢＴ通信部１７に送る収集処理が行われる。なお、ＢＴ通信部１７から携帯機２に送信するタイヤ空気圧の情報、タイヤ温度の情報、ＩＤコード、測定日時の情報の一組のデータを以降では収集データと呼ぶ。そして、収集転送処理では、収集処理に続いて、収集処理によって得られた収集データを制御部１１がＢＴ通信部１７から携帯機２に送信させる転送処理が行われる。よって、ＢＴ通信部１７は、請求項の通信装置として機能する。なお、測定日時の情報は、例えば車載ナビゲーション装置などの有する時刻情報を制御部１１が利用することによって得る構成とすればよい。また、送信信号には、ＩＤコードが示すタイヤにおいて、同タイミングの測定によって前述の空気圧センサおよび温度センサでそれぞれ検出されたタイヤ空気圧の情報およびタイヤ温度の情報がこのＩＤコードとともに含まれるものとする。さらに、ここで言うところの同タイミングの測定とは、同一の送信要求信号に従って空気圧センサおよび温度センサで行われた測定を示している。
【００４８】
収集転送処理のうちの収集処理は、例えばイグニッションスイッチがオンになっている間に間欠的に行われる。なお、収集処理は、ドライバーが乗車直前であることを検出したことや車両Ｃが走行直前であることを検出したことをトリガにして行われる構成としてもよい。なお、ドライバーが乗車直前であることや車両Ｃが走行直前であることは、車両Ｃの外部からドアロックの解除が行われたことの検出や着座センサでのドライバー席への着座の検出など、ドライバーが乗車直前や走行直前であることを検出する周知の方法によって検出する構成とすればよい。なお、タイヤ空気圧の純正基準値は、車両の走行による摩擦熱等によってタイヤ温度が上がっていない冷間時で規定されているため、収集処理における制御部１１でのタイヤ空気圧の情報およびタイヤ温度の情報の収集も、車両の走行による摩擦熱等によってタイヤの温度が上がっていないときに行うことが好ましい。よって、収集処理における制御部１１でのタイヤ空気圧の情報およびタイヤ温度の情報の収集は、ドライバーの乗車直前や車両Ｃの走行直前といった、車両の走行による摩擦熱等によってタイヤの温度が上がっていない可能性が高いときに行う構成とすることがより好ましい。
【００４９】
また、収集転送処理のうちの転送処理は、例えば収集処理に連続して行われたり、車両Ｃのイグニッションスイッチがオンされたことや車両Ｃのイグニッションスイッチがオフされたことをトリガにして行われたりする。なお、収集処理に連続して転送処理を行わない場合には、例えば収集データをバックアップＲＡＭ等のメモリに記憶しておき、転送処理を行うときにこのメモリから収集データを読み出してＢＴ通信部１７が収集データを送信する構成とすればよい。
【００５０】
なお、車両Ｃのイグニッションスイッチがオフの状態のときには、前述の収集処理や転送処理は、アクセサリ電源や常時通電されている予備の電源等により車載装置１の各部に電源を供給することによって行う構成とすればよい。
【００５１】
続いて、図２を用いて、携帯機２の概略的な構成について説明を行う。図２は、携帯機２の概略的な構成を示すブロック図である。図２に示すように携帯機２は、制御部２１、ＬＦ受信部２２、ＵＨＦ送信部２３、ＢＴ通信部２４、記憶部２５、プッシュスイッチ２６・２７、スピーカ２８、および表示器２９を備えている。
【００５２】
制御部２１は、ＣＰＵ、ＲＯＭ、ＲＡＭ、Ｉ／Ｏ等（いずれも図示せず）よりなるマイクロコンピュータを主体として構成され、ＲＯＭに記憶された各種の制御プログラムを実行することで各種の処理を実行するものである。例えば、制御部２１は、前述のスマートエントリー機能やリモートキーレスエントリー機能に関する処理を実行する。
【００５３】
ＬＦ受信部２２は、ＬＦアンテナを有しており、車載装置１から送信されてくるＬＦ帯の信号（情報）をこのＬＦアンテナを介して受信する。また、ＬＦ受信部２２は、制御部２１に接続されており、ＬＦアンテナにて受信した信号を制御部２１に出力する。
【００５４】
ＵＨＦ送信部２３は、ＵＨＦアンテナを有しており、このＵＨＦアンテナを介して車載装置１にＵＨＦ帯の電波にて信号（情報）を送信する。また、ＵＨＦ送信部２３は、制御部２１に接続されており、この制御部２１から出力された情報をＵＨＦアンテナから送信する。
【００５５】
ＢＴ通信部２４は、ＢＴアンテナを有しており、このＢＴアンテナを介して車載装置１に対し２．４ＧＨｚ帯の電波にて信号（情報）を送信するとともに、２．４ＧＨｚ帯の電波にて車載装置１から送信されてくる信号を、ＢＴアンテナを介して受信する。このＢＴ通信部２４から送信される信号は、ＵＨＦ送信部２３から送信される信号ほど通信エリアは広くない。また、ＢＴ通信部２４は、制御部２１に接続されており、この制御部２１から出力された情報をＢＴアンテナから送信する一方、このＢＴアンテナにて受信した情報を制御部２１に出力する。詳しくは、ＢＴ通信部２４では、車載装置のＢＴ通信部１７から送信される収集データを受信することによって収集データを取得する。よって、このＢＴ通信部２４が請求項の空気圧情報取得手段およびタイヤ温度情報取得手段として機能する。
【００５６】
記憶部２５は、電気的に内容を書き換えることが可能なメモリによって構成され、各種の情報を記憶する。また、記憶部２５は、制御部２１の指示に従って収集データを格納する。よって、記憶部２５は、請求項の格納手段として機能する。
【００５７】
プッシュスイッチ２６・２７は、主にリモートキーレスエントリー機能を利用するためのスイッチである。プッシュスイッチ２６がワンプッシュ操作されると、車両ドアのロックが行なわれる一方、プッシュスイッチ２７がワンプッシュ操作されると、車両ドアのアンロックが行なわれるようになっている。
【００５８】
スピーカ２８は、制御部２１に接続されており、予め定められた警告音を出力する。また、表示器２９は、テキストや画像を表示するものであって、例えばフルカラー表示が可能な液晶ディスプレイ等を用いて構成することができる。また、表示器２９は、制御部２１の指示に従って、タイヤ空気圧の情報およびタイヤ温度の情報を対応付けた表示やタイヤ空気圧の経日変化を示す表示等を行う。よって、表示器２９が請求項の表示手段として機能する。
【００５９】
また、制御部２１は、収集データをもとにして表示器２９に表示させるタイヤ空気圧の情報およびタイヤ温度の情報を対応付けた表やタイヤ空気圧の経日変化を示すグラフ等を作成し、作成した表やグラフを表示器２９に表示させる情報表示処理を行う。よって、制御部２１は、請求項のグラフ作成手段としても機能する。なお、情報表示処理については後に詳述する。
【００６０】
次に、車載装置１と携帯機２との間における無線通信を用いたコード照合の結果に応じて、車両ドアのアンロックを行なうスマートエントリー機能の概要を説明する。なお、スマートエントリー機能における車載装置１および携帯機２の各部での処理については、例えば特許文献２および特許文献３に開示の技術と同様にして行われるものとすればよい。
【００６１】
車載装置１の各部は、制御部１１に制御されて作動し、その制御下で、ＬＦ送信部１２は、応答信号の送信を要求するいわゆるリクエスト信号を定期的に発信する。また、携帯機２の各部は、制御部２１に制御されて作動し、携帯機２がＬＦ送信部１２からの上記リクエスト信号を受信可能な無線通信エリア内に入った場合、そのリクエスト信号をＬＦ受信部２２が受信する。
【００６２】
なお、ＬＦ送信部１２とＬＦ受信部２２との間では、ＬＦ帯の電波を利用した無線通信が行なわれる。車載装置１と携帯機２との通信エリアを車両Ｃの周辺に制限するべく、リクエスト信号の送受信についてＬＦ帯の電波を利用している。詳しくは、前述したドアアンテナ、室内アンテナ、およびバックドア外アンテナ等から信号を送信することにより、通信エリアを車両ドアの近傍、車室内、トランク外の近傍に制限することができる。これにより、携帯機２が例えば他の車両の車載装置１からのリクエスト信号を受信してしまう可能性を低くすることができる。
【００６３】
ＬＦ受信部２２が車載装置１からのリクエスト信号を受信すると、ＵＨＦ送信部２３は、携帯機２に対応する車両Ｃに固有のコードを含んだ応答信号を送信する。すると、車載装置１では、携帯機２から送信されてくる応答信号をＵＨＦ受信部１３で受信する。
【００６４】
なお、ＵＨＦ受信部１３およびＵＨＦ送信部２３間では、ＵＨＦ帯の電波を利用した無線通信が行なわれる。上記応答信号の送受信についてＵＨＦ帯の電波を利用する理由は、携帯機２から送信される信号の出力レベルが微弱でも相応に通信距離が得られ、車載装置１側へより確実に応答信号を伝達することができるためである。
【００６５】
ＵＨＦ受信部１３が携帯機２から送信されてくる応答信号を受信すると、車載装置１の制御部１１は、この応答信号に含まれているコードが制御部１１に記憶されているコードと一致しているか否かの照合を行ない、一致していれば、車両ドアのアンロックを許可する。
【００６６】
なお、車両ドアのアンロック以降は、この種の車両システムにおける周知の制御が実行される。例えば、上記アンロック許可状態で、運転席ドアの外側のドアノブに設けられている図示しないタッチセンサからの信号により人がそのドアノブを触ったことを検知すると、制御部１１は、ドア制御系へアンロック信号を出力し、その結果、図示しないドアロックモータが駆動され車両ドア全てがアンロック状態になる。また、この他にも、エンジン始動が許可される状態になるなど、様々な制御が行なわれるが、これらの制御そのものは、本発明の要部とは直接関連しない事項となるため、これ以上の説明は省略する。
【００６７】
続いて、携帯機２での情報表示処理について説明を行う。ここでは、前述の転送処理が車両Ｃのイグニッションスイッチがオフされたことをトリガにして行われる場合を例に挙げて以降の説明を行う。情報表示処理では、転送処理によって車載装置１から収集データが送信されてきたときに、測定１回分のタイヤ空気圧の情報とタイヤ温度の情報とを対応付けた表を作成し、この表を表示器２９に表示させる。この表の具体例としては、図３に示す一例のように、タイヤ空気圧およびタイヤ温度が測定された日時を示すとともに、各々のタイヤごとにタイヤ空気圧の情報とタイヤ温度の情報とを対応付けて示す。なお、この場合、制御部２１では、収集データに含まれるＩＤコードに従って各々のタイヤごとにタイヤ空気圧の情報とタイヤ温度の情報とを対応付け、収集データに含まれる測定日時の情報に従ってタイヤ空気圧およびタイヤ温度が測定された日時を付与するものとする。
【００６８】
以上の構成によれば、タイヤ空気圧の情報とタイヤ温度の情報とを対応付けて表示するので、タイヤ温度の情報をもとにタイヤの空気圧の調整の方向性をユーザが検討することが可能になる。よって、気温の変化に合わせた適切なタイヤの空気圧調整をユーザがより行い易くなる。
【００６９】
また、制御部２１では、転送処理によって車載装置１から収集データが送信されてきたときに、収集データを記憶部２５に格納するか否かを判別し、記憶部２５に格納するものと判定した収集データを記憶部２５に格納する判別登録処理を実行する。なお、判別登録処理によって記憶部２５に格納される収集データは一日につき１組（１件）であり、格納された順番や年月日が後に制御部２１によって判別可能なように格納される。また、判別登録処理が複数日にわたって行われることによって記憶部２５には複数日分の収集データが格納されることとなる。なお、判別登録処理については後に詳述する。
【００７０】
また、情報表示処理では、ユーザからの所定の操作入力を受け付けたときに、記憶部２５に格納されている複数日分の収集データをもとに、各タイヤのタイヤ空気圧の経日変化を示すグラフを作成し、このグラフを表示器２９に表示させる。なお、各タイヤのタイヤ空気圧の経日変化を示す場合には、記憶部２５に１年分の収集データを格納し、この１年分の収集データをもとに各タイヤのタイヤ空気圧の１年分の経日変化を示す折れ線グラフ（具体的には、図４に示すような前後左右輪ごとの４つの折れ線グラフ）を作成することにより、図４に示す一例のように、各タイヤのタイヤ空気圧の１年分の経日変化を示すことが好ましい。また、このとき、折れ線グラフには図４に示すようにタイヤ空気圧の規定圧も同時に示す態様としてもよいし、左右のタイヤのそれぞれのタイヤ空気圧の情報を区別できるように折れ線グラフの色や線種を変えてもよい。なお、図中では、左側のタイヤを実線、右側のタイヤを破線で表している。
【００７１】
なお、上述の所定の操作入力は、例えばユーザがプッシュスイッチ２６およびプッシュスイッチ２７を同時に２秒以上押し続ける等の操作入力とすればよい。よって、プッシュスイッチ２６・２７は、請求項の操作入力手段として機能する。なお、本実施形態では、プッシュスイッチ２６およびプッシュスイッチ２７の双方を利用した操作入力を上述の所定の操作入力の一例として示したが、これに限らず、プッシュスイッチ２６およびプッシュスイッチ２７のいずれか一方のみを利用した操作入力を上述の所定の操作入力とする構成としてもよい。また、プッシュスイッチ２６・２７以外の操作入力部を携帯機２に新たに設け、この操作入力部を利用した操作入力を上述の所定の操作入力とする構成としてもよい。
【００７２】
また、本実施形態では、各タイヤのタイヤ空気圧の経日変化を示すグラフを折れ線グラフとする構成を示したが、必ずしもこれに限らず、棒グラフなど他のグラフによって表現する構成としてもよい。
【００７３】
なお、記憶部２５に格納される過去１年分の収集データは、１年の間に収集転送処理を毎日行うことによって得られた３６５件分の収集データであってもよいし、１年の間で収集転送処理を行った日にだけ得られた収集データであってもよい。また、１年の間で収集転送処理を行った日にだけ得られた収集データを過去１年分の収集データとする場合、収集転送処理を行わなかった日の空きデータは、時間的に前後する収集データをもとに線形補完等の補完によって補う構成としてもよいし、補わずに空けておく構成としてもよい。
【００７４】
以上のように、過去１年分のタイヤの空気圧の経日変化を示すグラフを表示する構成では、例えば気温の変化の傾向が似ている可能性の高い前年の同時期や同じ季節等のタイヤの空気圧の変化の傾向をもとに、気温の変化に伴うタイヤの空気圧の今後の変化の傾向をユーザが推定することが可能になるので、気温の変化に合わせた適切なタイヤの空気圧調整をユーザがより行い易くなる。
【００７５】
また、前述の実施形態では、ユーザからの所定の操作入力を受け付けたときに、記憶部２５に格納されている複数日分の収集データをもとに、各タイヤのタイヤ空気圧の経日変化を示すグラフや各タイヤのタイヤ空気圧およびタイヤ温度の経日変化を示すグラフを表示させる構成を示したが、必ずしもこれに限らない。例えば、ユーザからの所定の操作入力を受け付けたとき以外にも、前述の測定１回分のタイヤ空気圧の情報とタイヤ温度の情報とを対応付けた表の表示に続いてこれらのグラフを表示させる構成としてもよい。
【００７６】
次に、図５を用いて、携帯機２での判別登録処理について説明を行う。図５は、携帯機２での判別登録処理のフローを示すフローチャートである。なお、本フローは、転送処理によって車載装置１から収集データが送信されてきたときに開始される。
【００７７】
まず、ステップＳ１では、制御部２１が現在の年月日の情報を例えば図示しない内蔵のタイマーなどから取得し、ステップＳ２に移る。なお、現在の年月日の情報の取得の方法としては、例えば転送処理のときに、車載ナビゲーション装置由来の現在の年月日の情報が車載装置１から収集データと合わせて送信される構成とし、転送処理のときに車載装置１から収集データと合わせて送信されるこの現在の年月日の情報を制御部２１が取得する構成としてもよい。
【００７８】
ステップＳ２では、記憶部２５内の収集データのうちの格納された順番が最後の収集データ（つまり、最終レコード）を格納した日時（つまり、最終レコードの日時）の情報を制御部２１が読み出してステップＳ３に移る。ステップＳ３では、ステップＳ１で取得した現在の年月日の情報が示す年月日とステップＳ２で読み出した年月日の情報が示す年月日とが同じ年月日であるか否かを制御部２１が判定する。そして、同じ年月日であると判定した場合（ステップＳ３でＹｅｓ）には、フローを終了する。また、同じ年月日であると判定しなかった場合（ステップＳ３でＮｏ）には、ステップＳ４に移る。
【００７９】
ステップＳ４では、記憶部２５内の収集データのうちの格納された順番が最初の収集データ（つまり、先頭レコード）を格納した日時（つまり、先頭レコードの日時）の情報を制御部２１が読み出してステップＳ５に移る。ステップＳ５では、ステップＳ１で取得した現在の年月日の情報が示す年月日が、ステップＳ４で読み出した年月日の情報が示す年月日から１年以上経過しているか否かを制御部２１が判定する。そして、１年以上経過していると判定した場合（ステップＳ５でＹｅｓ）には、ステップＳ６に移る。また、１年以上経過していると判定しなかった場合（ステップＳ５でＮｏ）には、ステップＳ７に移る。
【００８０】
ステップＳ６では、制御部２１が先頭レコードを記憶部２５から削除させ、ステップＳ４に戻ってフローを繰り返す。ステップＳ７では、記憶部２５内に格納されている収集データの件数（つまり、登録レコード数）の情報を記憶部２５から制御部２１が取得し、ステップＳ８に移る。
【００８１】
ステップＳ８では、登録レコード数の情報が示す登録レコードの数が３６５件以上であるか否かを制御部２１が判定する。そして、３６５件以上であると判定した場合（ステップＳ８でＹｅｓ）には、ステップＳ９に移る。また、３６５件以上であると判定しなかった場合（ステップＳ８でＮｏ）には、ステップＳ１０に移る。
【００８２】
ステップＳ９では、制御部２１が先頭レコードを記憶部２５から削除させ、ステップＳ１０に移る。そして、ステップＳ１０では、転送処理によって車載装置１から送信されてきた収集データを最新のデータとして記憶部２５に格納（つまり、最終レコードに最新情報登録）し、フローを終了する。
【００８３】
これによれば一日につき一日のうちの最初の収集データのみが記憶部２５に格納され、最大で一日につき１件の収集データが過去１年分まで格納されることになる。よって、記憶部２５に格納された収集データをもとに過去１年分のタイヤ空気圧の経日変化を示すグラフを作成する場合に、最大でも一日につき１件という、より少ないデータ数で過去１年分のタイヤ空気圧の経日変化を示すグラフを作成できることになる。従って、以上の構成によれば、記憶部２５の記憶容量を節約することができる。
【００８４】
前述したように、タイヤ空気圧の純正基準値は、車両の走行による摩擦熱等によってタイヤ温度が上がっていない冷間時で規定されている。また、一般的な車両の使われ方からすれば、上述のように、一日の中で最初に取得するタイヤ空気圧の情報および当該タイヤ温度の情報を取得すれば、よりタイヤが発熱していない状態でタイヤの空気圧の情報および当該タイヤ温度の情報を取得できる可能性が高い。よって、以上の構成によれば、冷間時のタイヤ空気圧の情報および当該タイヤ温度の情報を取得し、この冷間時のタイヤ空気圧の情報および当該タイヤ温度の情報をもとにタイヤ空気圧の調整の方向性をユーザが検討することができる可能性が高くなる。従って、以上の構成によれば、ユーザが気温の変化に合わせたタイヤの空気圧調整をタイヤの空気圧の純正基準値を基準にして行う場合に、より適切なタイヤの空気圧調整をより精度良く行うことが可能になる。
【００８５】
なお、前述の実施形態では、情報表示処理において各タイヤのタイヤ空気圧の経日変化を示すグラフを表示させる場合に、タイヤ温度の経日変化を示さない構成を示したが、必ずしもこれに限らない。例えば、情報表示処理において、ユーザからの所定の操作入力を受け付けたときに、記憶部２５に格納されている複数日分の収集データをもとに、各タイヤのタイヤ空気圧およびタイヤ温度の経日変化を示すグラフを作成し、このグラフを表示器２９に表示させる構成としてもよい。
【００８６】
これによれば、お互い対応付けられたタイヤ空気圧の情報およびタイヤ温度の情報をもとに作成されたタイヤ空気圧およびタイヤ温度の経日変化を示すグラフを表示することができるので、ユーザがタイヤ空気圧およびタイヤ温度の経日変化の傾向を知ることにより、気温の変化に伴うタイヤ空気圧の今後の変化の傾向を推定することが可能になる。よって、以上の構成によれば、気温の変化に伴うタイヤ空気圧の今後の変化の傾向を推定することにより、ユーザが気温の変化に合わせたより適切なタイヤの空気圧調整を行うことも可能になる。
【００８７】
また、情報表示処理において各タイヤのタイヤ空気圧の経日変化を示すグラフを表示させる場合に、タイヤ温度の経日変化を示さない構成とする場合には、記憶部２５に格納する収集データにタイヤ温度の情報を含まない構成とすることも可能である。
【００８８】
なお、前述の実施形態では、一日につき一日のうちの最初の収集データのみを記憶部２５に格納する構成を示したが、必ずしもこれに限らない。例えば、一日につき一日のうちの最後の収集データのみが記憶部２５に格納される構成としてもよい。
【００８９】
また、前述の実施形態では、最大で一日につき１件の収集データを記憶部２５に格納する構成を示したが、必ずしもこれに限らない。例えば、一日につき２件以上の収集データを記憶部２５に格納する構成としてもよい。
【００９０】
なお、前述の実施形態では、過去１年分の収集データを記憶部２５に格納し、記憶部２５に格納された収集データをもとに過去１年分のタイヤ空気圧の経日変化を示すグラフを作成して表示する構成を示したが、必ずしもこれに限らない。例えば、過去１年分よりも多くの収集データを記憶部２５に格納し、記憶部２５に格納された収集データをもとに過去１年分よりも長い期間のタイヤ空気圧の経日変化を示すグラフを作成して表示する構成としてもよい。
【００９１】
また、過去１年分に満たない収集データを記憶部２５に格納し、記憶部２５に格納された収集データをもとに過去１年分よりも短い期間のタイヤ空気圧の経日変化を示すグラフを作成して表示する構成としてもよい。各タイヤのタイヤ空気圧およびタイヤ温度の経日変化を示すグラフを作成して表示させる構成においては、過去の同時期や同じ季節のタイヤ空気圧の情報を確認しなくても、タイヤ空気圧に対応付けられたタイヤ温度の情報をもとに、ユーザが気温の変化に伴うタイヤ空気圧の今後の変化の傾向をある程度推定することができる。よって、各タイヤのタイヤ空気圧およびタイヤ温度の経日変化を示すグラフを作成して表示させる構成においては、過去１年分よりも短い期間のタイヤ空気圧の経日変化を示すグラフを表示する場合であっても、気温の変化に合わせたより適切なタイヤの空気圧調整をユーザに行わせることが可能になる。
【００９２】
さらに、前述の実施形態では、本発明を電子キーに適用する構成、つまり、携帯機２に電子キーとしての機能も備える構成を示したが、必ずしもこれに限らない。例えば、本発明はユーザが携行する通信端末であれば適用可能であって、携帯電話機やＰＤＡ（personal digital assistant）等に適用する構成とすることも可能である。
【００９３】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９４】
１  車載装置、２  携帯機、１１  制御部、１２  ＬＦ送信部、１３  ＵＨＦ受信部、１４ａ〜１４ｄ  センサユニット（空気圧検出装置、タイヤ温度検出装置）、１５ａ  右前輪ＡＮＴ、１５ｂ  左前輪ＡＮＴ、１５ｃ  右後輪ＡＮＴ、１５ｄ  左後輪ＡＮＴ、１６  コンビネーションメータ、１７  ＢＴ通信部（通信装置）、２１  制御部（グラフ作成手段）、２２  ＬＦ受信部、２３  ＵＨＦ送信部、２４  ＢＴ通信部（空気圧情報取得手段、タイヤ温度情報取得手段）、２５  記憶部（格納手段）、２６・２７  プッシュスイッチ（操作入力手段）、２８  スピーカ、２９  表示器（表示手段）
【図１】
2010191540.tif 000003
【図２】
2010191540.tif 000004
【図３】
2010191540.tif 000005
【図４】
2010191540.tif 000006
【図５】
2010191540.tif 000007